(57)【要約】      （修正有）【課題】空間を有効に利用することができるアンプを備えた机を提供する。【解決手段】アンプを備えた机は、天板１及びアンプ２を備える。天板１は、底部に脚部１１が接続される。アンプ２は、天板１の底部に配置され、両側に再生スピーカ２１をそれぞれ有し、制御スイッチ２２及び音源接線２３を有する。【選択図】図１
0003156814.tif 000002
【実用新案登録請求の範囲】
【請求項１】
天板及びアンプを備えるアンプを備えた机であって、
前記天板は、底部に脚部が接続され、
前記アンプは、前記天板の底部に配置され、両側に再生スピーカをそれぞれ有し、制御スイッチ及び音源接線を有することを特徴とする、アンプを備えた机。
【請求項２】
前記アンプは、電源接線を有することを特徴とする、請求項１に記載のアンプを備えた机。
【請求項３】
前記天板の両側底部には、前記アンプの両側部を設置するスライド溝がそれぞれ設けられていることを特徴とする、請求項１に記載のアンプを備えた机。
【請求項４】
前記天板の前記脚部には、前記天板の下方に配置された物置板が接続され、
前記脚部は、前記天板の上方まで延伸されて物置部に接続されることを特徴とする、請求項１に記載のアンプを備えた机。
【請求項５】
前記天板には貫通孔が設けられ、前記貫通孔に対応するように放熱ファンが配置されていることを特徴とする、請求項１に記載のアンプを備えた机。
【考案の詳細な説明】
【技術分野】
【０００１】
本考案は机に係り、特に、天板の底部にアンプを取り付けたアンプを備えた机に関する。
【背景技術】
【０００２】
一般のコンピュータ用机（例えば、特許文献１）は、長パイプ、短パイプ及びパイプ軸を簡単に組み合わせた回転軸を含む。このコンピュータ用机は、コンピュータ用天板、脚部、作業台、コンピュータ本体設置用板、長パイプ、短パイプ及びパイプ軸を含む。コンピュータ用天板は、コンピュータ用天板を支持するために側部に設ける脚部と、独立して分離可能な挟持テーブルと、を含む。コンピュータ用天板の底面の適宜な箇所には、短パイプが枢着され、短パイプの両側には縦杆が設けられている。作業台は、側部に脚部が設けられている。作業台には、適宜な箇所に短パイプが貫設され、枢着されている。この作業台の下には、コンピュータ本体設置用板が配置されている。コンピュータ本体設置用板には、適宜な箇所に適宜な長さの長パイプと、長パイプの内径よりも略小さな外径を有し、組み合わせるときに長パイプと接続するパイプ軸と、が設けられている。コンピュータ用天板の短パイプに、パイプ軸、作業台の短パイプ、コンピュータ本体設置用板の長パイプを貫設させ、回転軸を固定して支持するため、ユーザは作業台を簡単に移動させることができるが、従来技術には以下のような問題点があった。
【０００３】
一般に、ユーザがコンピュータ用天板にコンピュータを設置して映像音声を視聴する際、再生装置がコンピュータに内蔵されていない場合、アンプ、スピーカなどの外付け式再生装置を準備する必要があった。一般に、この外付け式再生装置は固定式でないため、コンピュータ用天板上や、コンピュータ用机に隣接した床に設置することがあった。しかし、コンピュータ用天板に置くと、コンピュータ用天板の空間が占有され、コンピュータ用机に隣接した床に置くと、ユーザの足が不用意に引っかかったり、アンプを倒して損壊させたりする虞もあった。
【先行技術文献】
【特許文献】
【０００４】
【特許文献１】台湾実用新案登録第２６８９７５号公報
【考案の概要】
【考案が解決しようとする課題】
【０００５】
本考案の第１の目的は、天板底部にアンプを取り付け、天板や床の上に置かないため、人が歩く空間を占有せずに空間を有効に利用することができる上、ユーザの足がアンプに不用意に引っかかったり、アンプを倒して損壊させたりする虞がないアンプを備えた机を提供することにある。
本考案の第２の目的は、天板にノート型パソコンを置いて使用する際、放熱ファンを組み合わせて高い放熱効果を得て、ノート型パソコンが過熱することを防ぐことができるアンプを備えた机を提供することにある。
本考案の第３の目的は、簡単に取り出すことができるように、天板底部のスライド溝にアンプが組み合わされているため、アンプ内部の部品が損壊したときに、簡単にメンテナンス又は交換を行うことができるアンプを備えた机を提供することにある。
【課題を解決するための手段】
【０００６】
上記課題を解決するために、本考案の第１の形態によれば、天板及びアンプを備えるアンプを備えた机であって、前記天板は、底部に脚部が接続され、前記アンプは、前記天板の底部に配置され、両側に再生スピーカをそれぞれ有し、制御スイッチ及び音源接線を有することを特徴とする、アンプを備えた机が提供される。
【０００７】
前記アンプは、電源接線を有することが好ましい。
【０００８】
前記天板の両側底部には、前記アンプの両側部を設置するスライド溝がそれぞれ設けられていることが好ましい。
【０００９】
前記天板の前記脚部には、前記天板の下方に配置された物置板が接続され、前記脚部は、前記天板の上方まで延伸されて物置部に接続されることが好ましい。
【００１０】
前記天板には貫通孔が設けられ、前記貫通孔に対応するように放熱ファンが配置されていることが好ましい。
【考案の効果】
【００１１】
本考案のアンプは、以下の長所を有する。
（１）天板や床の上に置かずに天板底部にアンプを取り付けるため、人が歩く空間を占有せずに空間を有効に利用することができる上、ユーザの足がアンプに不用意に引っかかったり、アンプを倒して損壊させたりする虞もない。
（２）天板にノート型パソコンを置いて使用する際、放熱ファンを組み合わせて高い放熱効果を得て、ノート型パソコンが過熱することを防ぐことができる。
（３）天板底部のスライド溝にアンプが組み合わされているため、アンプ内部の部品が損壊したときに、簡単にアンプを取り出してメンテナンス又は交換を行うことができる。
【図面の簡単な説明】
【００１２】
【図１】本考案の一実施形態によるアンプを備えた机を示す斜視図である。
【図２】本考案の一実施形態によるアンプを備えた机を使用するときの状態を示す斜視図である。
【図３】本考案の一実施形態によるアンプを備えた机に異なるタイプの脚部を使用したときの状態を示す斜視図である。
【図４】本考案の一実施形態による脚部に物置板及び物置部を接続したときの状態を示す斜視図である。
【図５】本考案の一実施形態によるスライド溝により天板の底部にアンプを接続したときの状態を示す斜視図である。
【図６】本考案の一実施形態による天板上に放熱ファンを組み合わせたときの状態を示す斜視図である。
【考案を実施するための形態】
【００１３】
以下、本考案の実施形態について図に基づいて説明する。なお、これによって本考案が限定されるものではない。
【００１４】
図１を参照する。図１に示すように、本考案の一実施形態によるアンプを備えた机は、天板１及びアンプ２を含む。天板１は、底部に脚部１１が接続されている。アンプ２は、天板１の底部に配置され、両側に再生スピーカ２１がそれぞれ配置され、制御スイッチ２２、音源接線２３及び電源接線２４を有する。
【００１５】
図２を参照する。図２に示すように、本考案の一実施形態によるアンプを備えた机を使用する際は、ユーザは、天板１上にノート型パソコンＡを置いて映像音声を再生するときに商用電源（図示せず）にアンプ２の電源接線２４を接続し、ノート型パソコンＡにアンプ２の音源接線２３を接続してから、アンプ２の制御スイッチ２２をオンすると、アンプ２の再生スピーカ２１から音が出力し、アンプ２の制御スイッチ２２により音のボリュームを調整することができる。アンプ２は、天板１の底部に取り付けられているため、天板１の上部空間が占有されない上、アンプ２が床に置かれていないため、人が歩く空間を占有することもない。そのため、ユーザの足が不用意に引っかかったり、アンプ２が倒れて損壊したりする虞がない。
【００１６】
図３を参照する。図３に示すように、天板１は、底部に設けた脚部１１と組み合わせてテレビキャビネットを構成し、アンプ２をテレビＢに接続してリビングルーム又は他の場所で視聴設備を使用する際、利用することができる。
【００１７】
図４を参照する。図４に示すように、天板１の脚部１１は、天板１の下方に配置された物置板３と接続されている。脚部１１は、天板１の上方まで延伸され、物置部４に接続されている。これにより、物置板３上にノート型パソコンＡを置いて映像音声を再生する際、アンプ２の両側に配置した再生スピーカ２１から音を出力し、３Ｄサラウンドの効果を得ることができる。
【００１８】
図５を参照する。図５に示すように、天板１の両側底部には、２つのスライド溝１２が設けられている。アンプ２は、取り外すことができるように、２つのスライド溝１２の中に両側が設置されているため、アンプ２内部の部品が損壊した場合、アンプ２を容易に取り外してメンテナンスや交換などを行うことができる。
【００１９】
図６を参照する。図６に示すように、天板１は、貫通孔１３と、貫通孔１３に対応するように設けた放熱ファン１４と、を含む。ユーザが天板１上にノート型パソコンＡを置いて使用する際、放熱ファン１４により発生する空気対流により、放熱効果を高めてノート型パソコンＡが過熱することを防ぐことができる。
【００２０】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２１】
１    天板
２    アンプ
３    物置板
４    物置部
１１  脚部
１２  スライド溝
１３  貫通孔
１４  放熱ファン
２１  再生スピーカ
２２  制御スイッチ
２３  音源接線
２４  電源接線
Ａ    ノート型パソコン
Ｂ    テレビ
【図１】
0003156814.tif 000003
【図２】
0003156814.tif 000004
【図３】
0003156814.tif 000005
【図４】
0003156814.tif 000006
【図５】
0003156814.tif 000007
【図６】
0003156814.tif 000008